(57)【要約】【課題】流体中に分散させる分散物質を伝熱的に良好な分散状態にして熱伝達の向上を図る熱輸送流体及び熱輸送装置を提供する。【解決手段】熱輸送流体１は、水または有機物からなる溶媒２と、溶媒２中に分散される複数の微小粒子３と、を含んで構成されている。微小粒子３はシート形状の物質である。【選択図】図２
2013028792.tif 000002
【特許請求の範囲】
【請求項１】
水または有機物からなる溶媒と、
前記溶媒中に分散される複数の微小粒子と、
を含んで構成され、
前記微小粒子はシート形状であることを特徴とする熱輸送流体。
【請求項２】
前記微小粒子は、グラファイト微粒子であることを特徴とする請求項１に記載の熱輸送流体。
【請求項３】
前記グラファイト微粒子は、表層酸化されていることを特徴とする請求項２に記載の熱輸送流体。
【請求項４】
前記微小粒子は、グラフェンまたは酸化グラフェンであることを特徴とする請求項１に記載の熱輸送流体。
【請求項５】
前記微小粒子は、金属酸化物であることを特徴とする請求項１に記載の熱輸送流体。
【請求項６】
前記溶媒は、１価アルコール類もしくは多価アルコール類、またはこれらの混合物であることを特徴とする請求項１から請求項５のいずれか一項に記載の熱輸送流体。
【請求項７】
前記１価アルコール類は、メタノール、エタノール、１−プロパノール、２−プロパノール、１−ブタノール、２−ブタノールもしくは２−メチル−２−プロパノール、またはこれらの混合物であることを特徴とする請求項６に記載の熱輸送流体。
【請求項８】
前記多価アルコール類は、エチレングリコール、プロピレングリコールもしくはグリセリン、またはこれらの混合物であることを特徴とする請求項６に記載の熱輸送流体。
【請求項９】
請求項１から請求項８のいずれか一項に記載の熱輸送流体を用いて熱を輸送する熱輸送装置であって、
前記熱輸送流体が循環する循環回路と、
前記熱輸送流体を前記循環回路で強制的に循環させる駆動力を与える循環駆動装置と、
半導体装置に含まれる半導体素子から発生する熱を前記循環する前記熱輸送流体で吸熱して前記半導体素子を冷却する冷却用熱交換器と、
前記冷却用熱交換器で回収した熱を外部に放出する放熱装置と、
を備えることを特徴とする熱輸送装置。
【請求項１０】
請求項１から請求項８のいずれか一項に記載の熱輸送流体を用いて熱を輸送する熱輸送装置であって、
前記熱輸送流体が循環する循環回路と、
前記熱輸送流体を前記循環回路で強制的に循環させる駆動力を与える循環駆動装置と、
エンジンを流通する流体と前記循環する熱輸送流体との間で熱交換を行って前記エンジンを冷却する冷却用熱交換器と、
前記冷却用熱交換器で回収した熱を外部に放出する放熱装置と、
を備えることを特徴とする熱輸送装置。
【請求項１１】
請求項１から請求項８のいずれか一項に記載の熱輸送流体を用いて熱を輸送する熱輸送装置であって、
前記熱輸送流体が循環する循環回路と、
前記熱輸送流体を前記循環回路で強制的に循環させる駆動力を与える循環駆動装置と、
前記循環回路を循環する熱輸送流体に対して熱を与える発熱体と、
空調対象となるエリアへ送風する空気と前記循環する前記熱輸送流体との間で熱交換を行って前記空気を暖める熱交換器と、
を備えることを特徴とする熱輸送装置。
【請求項１２】
請求項１から請求項８のいずれか一項に記載の熱輸送流体を用いて熱を輸送する熱輸送装置であって、
前記熱輸送流体が循環する循環回路と、
前記熱輸送流体を前記循環回路で強制的に循環させる駆動力を与える循環駆動装置と、
前記循環回路を循環する熱輸送流体が流通可能に設けられる暖機対象機器と、
前記循環回路を循環する熱輸送流体に対して熱を与える発熱体と、
を備え、
前記暖機対象機器を暖機する必要がある場合は、前記発熱体から受熱した前記熱輸送流体を前記暖機対象機器に流通させることを特徴とする熱輸送装置。
【発明の詳細な説明】
【技術分野】
【０００１】
本発明は、溶媒に分散される特定の分散物質を有する熱輸送流体及びこの流体を用いた熱輸送装置に関する。
【背景技術】
【０００２】
従来、例えば熱交換器内に充填される熱輸送流体について、熱伝導効率の向上を図るために、高い熱伝導率を有するカーボンナノチューブを水やエチレングリコール等のベース液体中に安定的に分散させる技術が提案されている。
【０００３】
例えば、特許文献１に記載の技術は、ベース液体中に、カーボンナノチューブと、セルロース誘導体またはそのナトリウム塩を添加して熱輸送流体を構成することにより、セルロース誘導体を分散剤として用いて、ベース液体中にカーボンナノチューブを安定して分散させることができ、大幅な動粘度の増加を伴うことなく熱伝導率を向上させることができるものである。
【０００４】
また特許文献２に記載の技術は、ベース液体中に、カーボンナノチューブと、ＧＰＣ測定による平均分子量が６０００〜３００００であるカルボキシメチルセルロースナトリウム塩を添加して熱輸送流体を構成することにより、当該平均分子量が６０００〜３００００であるカルボキシメチルセルロースナトリウム塩を分散剤として用いてベース液体中にカーボンナノチューブを安定して分散させることができ、大幅な動粘度の増加を伴うことなく熱伝導率を向上させることができるものである。
【０００５】
その他、カーボンナノチューブを安定的に分散させて熱輸送流体の熱伝導率を向上させる従来技術として、特許文献３及び特許文献４が知られている。
【先行技術文献】
【特許文献】
【０００６】
【特許文献１】特開２００７−３１５２０号公報
【特許文献２】特開２００８−１８９９０１号公報
【特許文献３】特開２００６−２９１００２号公報
【特許文献４】特開２００８−２０１８３４号公報
【発明の概要】
【発明が解決しようとする課題】
【０００７】
上記各特許文献に記載の熱輸送流体に限らず、ベース液体中に分散されているカーボンナノチューブは、ロッド状、ワイヤ状の形状を呈する。カーボンナノチューブのような形状の分散物質が分散する熱輸送流体を熱交換器等の流路に流通させた場合、分散物質の長軸が熱輸送流体の流れ方向に沿うような姿勢で配向され易くなる。つまり、分散物質は、その軸線と熱輸送流体の速度ベクトルとが同じ方向を向くような姿勢でベース液体に分散する。流体中の多くの分散物質がこのような姿勢で分散すると、熱輸送流体の流れ方向に対して直交する方向には、カーボンナノチューブが有する熱伝導性能が十分に作用せず、当該直交方向の伝熱効果が十分に得られないという問題がある。
【０００８】
そこで、本発明は、上記問題点に鑑みてなされたものであり、流体中に分散させる分散物質を伝熱的に良好な分散状態にして熱伝達の向上を図る熱輸送流体及び熱輸送装置を提供することを目的とする。
【課題を解決するための手段】
【０００９】
上記目的を達成するために以下の技術的手段を採用する。すなわち、請求項１に記載の熱輸送流体に係る発明は、水または有機物からなる溶媒と、溶媒中に分散される複数の微小粒子と、を含んで構成され、微小粒子はシート形状であることを特徴とする。
【００１０】
この発明によれば、微小粒子がシート形状をなすため、多数の微小粒子は、熱輸送流体中で流動する際に、溶媒からの作用力を受け易く、様々な姿勢をとり、さらにその姿勢が常に変化するようになる。このため、多数の微小粒子は、熱輸送流体の伝熱性能が向上するために必要な伝熱方向に熱伝導しやすい姿勢で流動するので、熱輸送流体の熱伝達率を向上することができる。また、多数の微小粒子は、溶媒からの作用力を受けることによって、回転したり揺らいだりすることにより、周囲の溶媒を揺さぶったり、かき回したりする。このような多数の微小粒子による攪拌効果により、熱輸送流体の流れに乱れが生じるため、熱輸送流体の熱伝達率を向上することができる。したがって、流体中に分散させる分散物質を伝熱的に良好な分散状態にして熱伝達の向上を図る熱輸送流体を提供できる。
【００１１】
請求項２に記載の発明のように、請求項１に記載する微小粒子はグラファイト微粒子であることが好ましい。この発明によれば、熱輸送流体に分散するグラファイト微粒子は複数層のシート状体であることから、高い剛直性を有する。この高い剛直性によって、熱輸送流体が流動する際に、高い溶媒攪拌能力を発揮する。さらにグラファイト微粒子の高い熱伝導率に伴う熱輸送流体の熱伝導率向上効果と合わせ、熱輸送流体は高い熱伝達性能を発揮することができる。
【００１２】
請求項３に記載の発明のように、請求項２に記載するグラファイト微粒子は、表層酸化されていることが好ましい。この発明によれば、グラファイト微粒子の表面に酸化層が形成されるため、グラファイト微粒子は溶媒に対して高い分散性を発揮し、熱伝達性能が向上する熱輸送流体を提供できる。
【００１３】
請求項４に記載の発明のように、請求項１に記載する微小粒子はグラフェンまたは酸化グラフェンであることが好ましい。この発明によれば、主に炭素−炭素結合の六員環等を多数有して形成されるグラフェンまたは酸化グラフェンにより微小粒子を構成することによって、非常に薄いシート形状を作製することができる。このような微小粒子によれば、シート形状の粒子が流体中で大きく揺らぐため、あらゆる方向に優れた伝熱性能を発揮できる分散状態を構築することができる。したがって、分散物質を流体中で伝熱的に良好な分散状態にできるので、確実な熱伝達の向上が図れる。
【００１４】
請求項５に記載の発明のように、請求項１に記載する微小粒子は金属酸化物であることが好ましい。
【００１５】
請求項６に記載の発明のように、請求項１から請求項５のいずれか一項に記載する溶媒は、１価アルコール類もしくは多価アルコール類、またはこれらの混合物であることが好ましい。
【００１６】
請求項７に記載の発明のように、請求項６に記載する１価アルコール類は、メタノール、エタノール、１−プロパノール、２−プロパノール、１−ブタノール、２−ブタノールもしくは２−メチル−２−プロパノール、またはこれらの混合物であることが好ましい。
【００１７】
請求項８に記載の発明のように、請求項６に記載する多価アルコール類は、エチレングリコール、プロピレングリコールもしくはグリセリン、またはこれらの混合物であることが好ましい。
【００１８】
これによれば、メタノールは融点が−９７℃、沸点が６４．７℃であり、エタノールは融点が−１１４．３℃、沸点が７８．４℃であり、１−プロパノールは融点が−１２６．５℃、沸点が９７．１５℃であり、２−プロパノールは融点が−８９．５℃、沸点が８２．４℃であり、１−ブタノールは融点が−９０℃、沸点が１１７℃であり、２−ブタノールは融点が−１１４．７℃、沸点が９９℃であり、２−メチル−２−プロパノールは融点が２５．６９℃、沸点が８２．４℃であるため、これらの各物質の特性を活用することにより、用途に応じた熱輸送が期待できる熱輸送流体を提供することができる。
【００１９】
請求項９は、請求項１から請求項８のいずれか一項に記載の熱輸送流体を用いて熱を輸送する熱輸送装置に係る発明であって、熱輸送流体が循環する循環回路と、熱輸送流体を循環回路で強制的に循環させる駆動力を与える循環駆動装置と、半導体装置に含まれる半導体素子から発生する熱を循環する熱輸送流体で吸熱して半導体素子を冷却する冷却用熱交換器と、冷却用熱交換器で回収した熱を外部に放出する放熱装置と、を備えることを特徴とする。
【００２０】
この熱輸送装置によれば、上述したように、伝熱的に良好な分散物質の分散状態によって熱伝達が向上する熱輸送流体を用いて、半導体素子から発生する熱を熱輸送流体に吸収して放出することにより、半導体素子を効率的に冷却して、所望の機能を発揮させ、寿命の向上を実現できる。
【００２１】
請求項１０は、請求項１から請求項８のいずれか一項に記載の熱輸送流体を用いて熱を輸送する熱輸送装置に係る発明であって、熱輸送流体が循環する循環回路と、熱輸送流体を循環回路で強制的に循環させる駆動力を与える循環駆動装置と、エンジンを流通する流体と当該循環する熱輸送流体との間で熱交換を行ってエンジンを冷却する冷却用熱交換器と、冷却用熱交換器で回収した熱を外部に放出する放熱装置と、を備えることを特徴とする。
【００２２】
この熱輸送装置によれば、上述したように、伝熱的に良好な分散物質の分散状態によって熱伝達が向上する熱輸送流体を用いて、エンジンから発生する熱を熱輸送流体に吸収して放出することにより、エンジンを効率的に冷却して所望の機能の発揮、燃費向上、寿命向上等を実現できる。
【００２３】
請求項１１は、請求項１から請求項８のいずれか一項に記載の熱輸送流体を用いて熱を輸送する熱輸送装置に係る発明であって、熱輸送流体が循環する循環回路と、熱輸送流体を循環回路で強制的に循環させる駆動力を与える循環駆動装置と、循環回路を循環する熱輸送流体に対して熱を与える発熱体と、空調対象となるエリアへ送風する空気と当該循環する熱輸送流体との間で熱交換を行って空気を暖める熱交換器と、を備えることを特徴とする。
【００２４】
この熱輸送装置によれば、上述したように、伝熱的に良好な分散物質の分散状態によって熱伝達が向上する熱輸送流体を用いて、発熱体の熱を熱輸送流体に吸収して空調対象エリアへの送風空気に対して放出することにより、効率的に加熱された暖房風を提供することができる。
【００２５】
請求項１２は、請求項１から請求項８のいずれか一項に記載の熱輸送流体を用いて熱を輸送する熱輸送装置に係る発明であって、熱輸送流体が循環する循環回路と、熱輸送流体を循環回路で強制的に循環させる駆動力を与える循環駆動装置と、循環回路を循環する熱輸送流体が流通可能に設けられる暖機対象機器と、循環回路を循環する熱輸送流体に対して熱を与える発熱体と、を備え、暖機対象機器を暖機する必要がある場合は、発熱体から受熱した熱輸送流体を前記暖機対象機器に流通させることを特徴とする。
【００２６】
この熱輸送装置によれば、上述したように、伝熱的に良好な分散物質の分散状態によって熱伝達が向上する熱輸送流体を用いて、暖機運転が必要なときに発熱体から発生する熱を熱輸送流体に吸収して暖機対象機器に供給することにより、暖機対象機器を効率的に暖めて、迅速に所望の機能を発揮し得る状態にすることができる。
【図面の簡単な説明】
【００２７】
【図１】従来の熱輸送流体におけるカーボンナノチューブの配向を説明する説明図である。
【図２】本発明を適用する第１実施形態に係る熱輸送流体において、微小粒子の流動状態を説明する説明図である。
【図３】第１実施形態の熱輸送流体の熱伝達率について、水と比較した場合の向上度合いを示したグラフである。
【図４】本発明の熱輸送流体を用いて半導体素子を冷却する素子冷却装置の構成を示す模式図である。
【図５】本発明の熱輸送流体を用いてエンジンを冷却するエンジン冷却装置の構成を示す模式図である。
【図６】本発明の熱輸送流体を用いて、車室内への送風空気を暖める空調装置の構成を示す模式図である。
【図７】本発明の熱輸送流体を用いてエンジンを暖機する暖機装置の構成を示す模式図である。
【図８】本発明を適用する第２実施形態の熱輸送流体の熱伝導率について、水とエチレングリコールの混合溶媒の熱伝導率と比較した結果を示したグラフである。
【図９】第２実施形態の熱輸送流体の熱伝達率について、水とエチレングリコールの混合溶媒の熱伝達率に対する向上度合いを示したグラフである。
【発明を実施するための形態】
【００２８】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合わせることも可能である。
【００２９】
（第１実施形態）
以下、本発明に係る熱輸送流体及び熱輸送装置の第１実施形態について、図１〜図７を参照して説明する。本実施形態に係る熱輸送流体１は、熱源からの熱を外部に伝達、輸送し、機器の冷却や加熱に用いられる。
【００３０】
図１は、従来の熱輸送流体１０１におけるカーボンナノチューブ１０３の配向を説明する説明図である。従来の熱輸送流体１０１は、少なくとも、溶媒１０２と、複数のカーボンナノチューブ１０３と、を含んでいる。さらに、複数のカーボンナノチューブ１０３は、溶媒１０２中に分散して存在している。従来の熱輸送流体１０１に含まれるカーボンナノチューブ１０３は、溶媒１０２中において、熱輸送流体１０１に流れ方向に対してその長軸が向くように配向され易い。つまり、ロッド状やワイヤ状を呈するカーボンナノチューブ１０３は、例えば、熱輸送流体１０１が流れる管内流路の内壁面に沿う流れ方向にその長手方向を向ける姿勢で存在し、溶媒１０２に分散する。これは、各カーボンナノチューブ１０３が、流路における熱輸送流体の流れにしたがって、管内流れの速度ベクトルに軸線を向け流動抵抗を小さくするような姿勢となって溶媒１０２中に分散するからである。
【００３１】
熱輸送流体１０１が流れる流路の内壁面のうち、発熱源側に位置して発熱源のからの熱が熱伝導する高温内壁面１０４と高温内壁面１０４に対向する位置にある低温内壁面１０５とが存在する場合、通常、熱輸送流体１０１を伝熱媒体として高温内壁面１０４から低温内壁面１０５へ熱移動する。しかしながら、従来の熱輸送流体１０１の場合は、上記するようなカーボンナノチューブ１０３の配向状態によって、流れ方向に対して直交方向にカーボンナノチューブ１０３の長軸が向かずカーボンナノチューブ１０３が伝熱媒体として機能しにくいため、高温内壁面１０４から低温内壁面１０５へ熱が伝わりにくい。そこで、第１実施形態の熱輸送流体１は、特徴的な微小粒子３を有することにより、微小粒子３が伝熱媒体として機能するとともに、溶媒２を攪拌する効果も得られるため、高温内壁面１０４から低温内壁面１０５への伝熱性を向上させることができる。
【００３２】
本実施形態の熱輸送流体１に用いられる溶媒２は、例えば水等の単一の成分からなるとともに、溶媒２よりも高い熱伝導率を有する微小粒子３を含有している。溶媒２は、例えば水または有機物（例えば、１価アルコール類、多価アルコール類等）である。溶媒２は、微小粒子３を分散させ、微小粒子３を運搬する流体とすることができる。この流体は、液体、あるいは気体によって提供されうる。流体は、単一もしくは複数の成分から構成されうる。例えば、流体として水、液状の高分子を用いることができる。さらに、流体として、混合物を用いることができる。混合物には、例えば、水、エチレングリコール、１価アルコール類、及び多価アルコール類の少なくとも２つの混合物、またはこの混合物と他の機能成分との混合物を用いることができる。
【００３３】
溶媒に用いられる１価アルコール類は、ヒドロキシ基（−ＯＨ）が１個のアルコールであり、例えば、メタノール、エタノール、１−プロパノール、２−プロパノール、１−ブタノール、２−ブタノールもしくは２−メチル−２−プロパノール、またはこれらの混合物である。メタノールは、ＣＨ３ＯＨで表され、融点−９８℃、沸点６５℃の特性を有し、エタノールは、ＣＨ３ＣＨ２ＯＨで表され、融点−１１７℃、沸点７９℃の特性を有する。
【００３４】
１−プロパノール、２−プロパノールは、炭素数３個の１価アルコールである。１−プロパノールは、ＣＨ３ＣＨ２ＣＨ２ＯＨで表され、融点−１２７℃、沸点９７℃の特性を有する。２−プロパノールは、イソプロパノールとも呼ばれ、ＣＨ３ＣＨ(ＯＨ)ＣＨ３で表され、融点−９０℃、沸点８３℃の特性を有する。
【００３５】
１−ブタノール、２−ブタノール、２−メチル−２−プロパノールは、炭素数４個の１価アルコールである。１−ブタノールは、ＣＨ３ＣＨ２ＣＨ２ＯＨで表され、融点−１１７℃、沸点９０℃の特性を有する。２−ブタノールは、２級アルコールであって、sec−ブタノールとも呼ばれ、ＣＨ３ＣＨ(ＯＨ)ＣＨ２ＣＨ３で表され、融点−１１５℃、沸点１００℃の特性を有する。２−メチル−２−プロパノールは、３級アルコールであって、tert−ブタノールとも呼ばれ、(ＣＨ３)３ＣＯＨで表され、融点２５℃、沸点８３℃の特性を有し、他のブタノール異性体に比べて酸化されにくい性質を有する。
【００３６】
溶媒に用いられる多価アルコール類は、ヒドロキシ基（−ＯＨ）が２個以上のアルコールであり、例えば、エチレングリコール、プロピレングリコールもしくはグリセリン、またはこれらの混合物である。エチレングリコールは、２価アルコールであり、ＣＨ２(ＯＨ)ＣＨ２ＯＨで表され、融点−１３℃、沸点１９８℃の特性を有し、ラジエータの不凍液の主成分に用いられる。プロピレングリコールは、２価アルコールであり、ＣＨ３ＣＨ(ＯＨ)ＣＨ２ＯＨで表され、融点−５９℃、沸点１８８．２℃の特性を有し、不凍液に用いることができる。グリセリンは、３価アルコールであり、ＣＨ２(ＯＨ)ＣＨ(ＯＨ)ＣＨ２ＯＨで表され、融点１８℃、沸点２９０℃の特性を有し、不凍液に用いることができる。
【００３７】
以上の各アルコールは、熱輸送流体１の使用条件に応じ、適合する融点、沸点等の特性を有するものが、溶媒２として用いられる。
【００３８】
複数の微小粒子３のそれぞれは、ナノメートルまたはマイクロメートルオーダーサイズの粒子であり、熱輸送流体１の溶媒２中に分散する。微小粒子３として、例えば、平均粒径が１ｎｍ〜１０μｍの範囲をなす粒子を用いするようにしてもよい。微小粒子３には、例えば金（Ａｕ）、銀（Ａｇ）、白金（Ｐｔ）等の金属からなる粒子、グラフェンまたは酸化グラフェンからなる粒子、二酸化マンガン（ＭｎＯ２）、酸化チタン（ＴｉＯ２）等の金属酸化物からなる粒子を用いることができる。また、微小粒子３は、２種類以上の物質から構成されてもよい。
【００３９】
また、熱輸送流体１には、微小粒子３に吸着する官能基を有するコーティング剤を含むようにしてもよい。微小粒子３の表面にコーティング剤が配列されることにより、コーティング剤の間や表面に溶媒分子が取り込まれて微小粒子３の周囲に溶媒分子が集合するようになり、微小粒子３を熱輸送流体１中に安定的に分散させることができる。
【００４０】
熱輸送流体１に用いられる微小粒子３は、厚みが薄く、厚み方向に平行な断面に比べて広い表面積を有する扁平なシート形状の物質である。このシート形状としては、種々様々な形状のものを採用することができ、例えば、微小粒子３は、厚み方向に平行な断面の外形が矩形状、楕円状、多角形状等である扁平体を呈する。また、シート形状は、扁平な平板状に限らず、表面に凹凸が形成されている形状であってもよい。このようなシート形状を有する微小粒子３の好ましい一例として、グラフェンまたは酸化グラフェンを用いている。
【００４１】
図２は、熱輸送流体１において微小粒子３の流動状態を説明する説明図である。図２に模式的に図示するように、このような特徴的形状の微小粒子３を溶媒２に分散させることにより、管内流れの流速分布に伴う多方向からの力を受けて、シート形状の微小粒子３が熱輸送流体１中で回転したり、揺らいだりしながら流動する。このような微小粒子３の流動によって、微小粒子３自体が伝熱性能向上のために必要な伝熱方向（図２において白抜き矢印で示す方向）に熱伝導しやすい姿勢で流動することができ、溶媒２の活発な流動を促進することができる。したがって、本実施形態の熱輸送流体１は、従来の熱輸送流体に含まれるカーボンナノチューブの代わりに、不規則、ランダムな姿勢をとる状態で溶媒２中に分散するようになる。
【００４２】
換言すれば、各微小粒子３は、その外形が扁平なシート形状であるため、例えば管内を流れるときに、熱輸送流体１中で細かくあるいは大きく方向を変えて動いたり、任意の方向に大きく移動したりするようになる。このように多数の微小粒子３が流動することにより、従来の熱輸送流体よりも溶媒２を揺さぶったり、かき回したりするため、溶媒２を攪拌する効果とともに、微小粒子３の不規則、ランダムな配向状態をもたらすと考えられる。また、このように溶媒２を攪拌する効果と微小粒子３自体の活発な流動とによって、熱輸送流体１中の熱伝達方向が改善され、流れ方向に対して直交方向への伝熱効果が十分に得られるのである。
【００４３】
微小粒子３として酸化グラフェンを用いた熱輸送流体１の作製について説明する。グラファイトを過マンガン酸カリウムと硫酸の溶液中で酸化し、この溶液に対して遠心分離及び洗浄を行う。この遠心分離及び洗浄を何度も繰り返すと、均一な溶液になり、微小粒子３として、単層のグラファイトである酸化グラフェンを含む熱輸送流体１を作製することができる。このように作製した微小粒子３には、その厚み寸法が約１ｎｍ、平均粒径が約１．５μｍである酸化グラフェンが含まれることを確認している。
【００４４】
発明者らは、上記の製法で作製した熱輸送流体１の熱伝達率について、熱輸送流体として水を用いた場合の熱伝達率に対する熱伝達率向上比をレーザーフラッシュ法によって測定した。その結果を図３に示す。図３は、本実施形態の熱輸送流体１の熱伝達率について、水を用いた場合の熱伝達率を１としたときに対する向上度合い（熱伝達率向上比）を示したグラフである。図３において、横軸は分散物質濃度としての酸化グラフェン水溶液の体積濃度（ｖｏ１％）であり、縦軸は熱伝達率向上比であり、図３には、４点の分散物質濃度のそれぞれに対応する熱伝達率向上比がプロットされている。測定値は、流速４（ｍｍ／ｓ）の円柱周りの強制対流における熱伝達率を測定した値である。
【００４５】
図３に示す測定結果から、酸化グラフェン水溶液の体積濃度（分散物質濃度）の大きさに比例して熱伝達率向上比が増加することがわかる。このように、上記の製法による熱輸送流体１によれば、熱伝達率が向上することが確認できた。
【００４６】
（本発明に係る熱輸送流体の適用例）
本発明に係る熱輸送流体は、例えば、インバータ用冷却流体、燃料電池用冷却流体、二次電池用冷却流体、モータ用冷却流体、電子機器の素子用冷却流体、給湯用熱媒体、床暖房用熱媒体、浴室暖房用熱媒体、太陽熱回収用熱媒体、インタークーラー用冷却流体等にも適用することができる。
【００４７】
（熱輸送装置の第１の例）
熱輸送流体１を用いる熱輸送装置の第１の例について図４を参照して説明する。図４は、熱輸送装置の第１の例である、半導体素子を冷却する素子冷却装置の構成を示す模式図である。
【００４８】
図４に示すように、熱輸送流体１を用いて熱の輸送を行う熱輸送装置１０は、熱輸送流体が循環する循環回路１１と、熱輸送流体を循環回路１１で強制的に循環させる駆動力を与える循環駆動装置としてのポンプ１２と、半導体装置１４に含まれる半導体素子から発生する熱を熱輸送流体で吸熱して半導体素子を冷却する冷却用熱交換器１３と、冷却用熱交換器１３で回収した熱を外部に放出する放熱装置としての放熱用熱交換器１５と、を備える。熱輸送装置１０は、これらの各部品を配管によって環状に接続してなるシステムを構成している。さらに、放熱用熱交換器１５には、送風を行う送風機１６が備えられている。
【００４９】
冷却対象である半導体装置１４は、例えば、各種電子機器、モータ等を制御するインバータ装置である。半導体素子は、半導体を材料とする電気回路素子であり、例えば、スイッチング素子を構成するＩＧＢＴ素子（絶縁ゲートバイポーラトランジスタ素子）等のトランジスター、ダイオード等である。半導体素子はヒートシンク等に熱的に接続され、このヒートシンクが熱輸送流体に直接的に接触することにより半導体素子を冷却する構造でもよいし、半導体素子が熱輸送流体の流路に設けられ、熱輸送流体と半導体素子とが直接的に接触することにより半導体素子を冷却する構造でもよい。
【００５０】
半導体素子の冷却が必要な状態になると、ポンプ１２が駆動され、循環回路１１に内蔵された熱輸送流体が強制的に循環するようになる。熱輸送流体は、冷却用熱交換器１３内の通路を通るときに半導体素子から間接的または直接的に熱を吸収し、半導体素子は冷却される。半導体素子の熱を吸熱した熱輸送流体は、次に放熱用熱交換器１５内の通路を通るときに、送風機１６によって放熱用熱交換器１５内の通路に接触するように流れる空気と熱交換して当該空気に熱を奪われて外部へ放熱する。熱輸送流体は、さらにポンプ１２に吸入されて引き続き循環回路１１を循環し、冷却用熱交換器１３での吸熱、放熱用熱交換器１５での放熱を繰り返し、継続的な熱輸送を行う。
【００５１】
この熱輸送装置１０によれば、本実施形態の熱輸送流体１を用いるため、伝熱的に良好な分散物質の分散状態によって熱伝達の向上が図れる。半導体素子から発生する熱は、熱輸送流体１に吸収されて外部に放出されることにより、半導体素子を効率的に冷却することができ、半導体素子の所望の機能を発揮させ、寿命の向上を実現する熱輸送装置１０を提供できる。
【００５２】
（熱輸送装置の第２の例）
熱輸送流体１を用いる熱輸送装置の第２の例について図５を参照して説明する。図５は、熱輸送装置の第２の例である、エンジンを冷却するエンジン冷却装置の構成を示す模式図である。
【００５３】
図５に示すように、熱輸送流体１を用いて熱の輸送を行う熱輸送装置２０は、熱輸送流体が循環する循環回路２１と、熱輸送流体を循環回路２１で強制的に循環させる駆動力を与える循環駆動装置としてのポンプ２２と、エンジン２８内部を流通する流体から発生する熱を熱輸送流体で吸熱してエンジン２８を冷却する冷却用熱交換器２３と、冷却用熱交換器２３で回収した熱を外部に放出する放熱装置としての放熱用熱交換器２４と、を備える。熱輸送装置２０は、これらの各部品を配管によって環状に接続してなるシステムを構成している。さらに、放熱用熱交換器２４には、送風を行う送風機２５が備えられている。また、エンジン２８内部を流通する流体は、エンジン２８とポンプ２７と冷却用熱交換器２３におけるエンジン冷却流体が通る放熱側通路２３ｂとを配管で環状に接続して構成される循環回路２６を循環する。
【００５４】
冷却対象であるエンジン２８は、例えば、自動車のガソリンエンジン、ディーゼルエンジン、発電用エンジン、農業用エンジン等である。エンジン２８内部を流通する流体は、例えば、水、エチレングリコールを主成分とするエンジン冷却水である。エンジン冷却水が流通する放熱側通路２３ｂと、本実施形態の熱輸送流体１が流通する吸熱側通路２３ａとは、冷却用熱交換器２３の内部に配置されて、互いの通路が接触し合う関係や、一方の通路が他方の通路に内部に含まれる関係に配置される。例えば、一方の流体が内側管の内部通路を流通し、他方の流体が、内側管が内部を貫通する外側管の内部通路を流通することにより熱交換を行うことができる。
【００５５】
エンジン２８の冷却が必要な状態になると、ポンプ２２が駆動されて循環回路２１に内蔵された熱輸送流体１が強制的に循環するとともに、ポンプ２７が駆動されて循環回路２６に内蔵されたエンジン冷却水が強制的に循環する。熱輸送流体１は、冷却用熱交換器２３内の吸熱側通路２３ａを通るときにエンジン冷却水から熱を吸収し、エンジン冷却水が冷却されるので、エンジン２８の熱は熱輸送流体に移動し、エンジン２８は冷却されることになる。
【００５６】
エンジン２８の熱を吸熱した熱輸送流体１は、次に放熱用熱交換器２４内の通路を通るときに、送風機２５によって放熱用熱交換器２４内の通路に接触するように流れる空気と熱交換して当該空気に熱を奪われて外部へ放熱する。熱輸送流体１は、さらにポンプ２２に吸入されて引き続き循環回路２１を循環し、冷却用熱交換器２３での吸熱、放熱用熱交換器２４での放熱を繰り返し、継続的な熱輸送を行う。
【００５７】
この熱輸送装置２０によれば、本実施形態の熱輸送流体１を用いるため、伝熱的に良好な分散物質の分散状態によって熱伝達の向上が図れる。エンジン２８から発生する熱は熱輸送流体１に吸収されて外部に放出されることにより、エンジンを効率的に冷却することができ、エンジン２８の所望機能の発揮、燃費向上、寿命向上等を実現する熱輸送装置２０を提供できる。
【００５８】
（熱輸送装置の第３の例）
熱輸送流体１を用いる熱輸送装置の第３の例について図６を参照して説明する。図６は、熱輸送装置の第３の例である、車室内への送風空気を暖める空調装置の構成を示す模式図である。
【００５９】
図６に示すように、熱輸送流体１を用いて熱の輸送を行う熱輸送装置３０は、熱輸送流体１が循環する循環回路３１と、熱輸送流体１を循環回路３１で強制的に循環させる駆動力を与える循環駆動装置としてのポンプ３２と、暖房のための熱量を熱輸送流体１に対して供給する発熱体３３と、発熱体３３の熱を吸熱した熱輸送流体１によって室内へ送風する空気を暖める暖房用熱交換器３４と、を備える。熱輸送装置３０は、これらの各部品を配管によって環状に接続してなるシステムを構成している。さらに、暖房用熱交換器３４は、車室内へ送風される空気の通路を形成する空調用ケース３６内に配置され、空調用ケース３６には、当該空気を暖房用熱交換器３４に対して送る送風機３５が備えられている。また、空調用ケース３６内の空気通路は、室内等の空調対象エリアにつながっている。空調用ケース３６は、車室内を空調する車両用空調装置、居室等を空調する室内用空調装置、工場内、施設内や特定の屋外空間を空調する大型空調システム等の一部を構成する。
【００６０】
室内等の空調対象エリアへの暖房が必要な状態になると、ポンプ３２が駆動されて循環回路３１に内蔵された熱輸送流体１が強制的に循環し、さらに、送風機３５の駆動によって暖房用熱交換器３４を通過する空調対象エリアへの送風空気が発生する。熱輸送流体１は、発熱体３３を通るときに発熱体３３から発生する熱を吸収し、吸収した熱を暖房用熱交換器３４を通るときに送風空気に放出して、送風空気が暖められるので、発熱体３３の熱は熱輸送流体１を介して送風空気に移動し、暖房風が空調エリアに供給されることになる。熱輸送流体１は、さらにポンプ３２に吸入されて引き続き循環回路３１を循環し、発熱体３３での吸熱、暖房用熱交換器３４での送風空気への放熱を繰り返し、継続的な熱輸送を行う。
【００６１】
この熱輸送装置３０によれば、本実施形態の熱輸送流体１を用いるため、伝熱的に良好な分散物質の分散状態によって熱伝達の向上が図れる。発熱体３３の熱は熱輸送流体１によって吸収されて効率的に空調対象エリアへ移動するため、エネルギー効率に優れた暖房風を提供することができる。
【００６２】
（熱輸送装置の第４の例）
熱輸送流体１を用いる熱輸送装置の第４の例について図７を参照して説明する。図７は、熱輸送装置の第４の例である、エンジンを暖機する暖機装置の構成を示す模式図である。
【００６３】
図７に示すように、熱輸送流体１を用いて熱の輸送を行う熱輸送装置４０は、熱輸送流体が循環する循環回路４１と、発熱体であるＰＴＣヒータ４６と、ＰＴＣヒータ４６が配置されるバイパス通路４５と、を備える。ＰＴＣヒータ４６は、バイパス通路４５を流れる熱輸送流体１に対して熱を与える発熱体である。循環回路４１は、ポンプ４２、エンジン４３、及びラジエータ４４を備え、これらを配管によって環状に接続して構成される。
【００６４】
バイパス通路４５は、エンジン４３を流出した熱輸送流体１をラジエータ４４側に流下させないでＰＴＣヒータ４６を経由してエンジン４３に戻すための迂回通路である。エンジン４３を流出した熱輸送流体１は、三方弁４７による通路切り替えによって、ＰＴＣヒータ４６へ流下するか、ラジエータ４４へ流下するかが選択されるようになっている。ポンプ４２は、熱輸送流体１を循環回路４１で強制的に循環させる駆動力を与える循環駆動装置である。エンジン４３は、循環回路４１を循環する熱輸送流体１が流通可能に設けられ、暖機を必要とする暖機対象機器である。ラジエータ４４は、エンジン４３で回収した熱を外部に放出して熱輸送流体１を冷却するための放熱用熱交換器である。またラジエータ４４には、送風を行う送風機が備えられている。
【００６５】
冷却対象であり暖機対象でもあるエンジン４３は、例えば、自動車のガソリンエンジン、ディーゼルエンジン、発電用エンジン、農業用エンジン等である。つまり、熱輸送流体１は、エンジンを冷却する冷却水としての機能と、エンジンの性能を効率的に発揮するために暖機する機能とを有する。
【００６６】
エンジン４３の冷却が必要な状態では、ポンプ４２の駆動により循環回路４１に内蔵された熱輸送流体１が強制的に循環するとともに、三方弁４７によってエンジン４３の出口側通路とラジエータ４４の入口側通路とが接続される。このとき熱輸送流体１は、循環回路４１を循環してラジエータ４４を通るときに外部の空気によって熱を奪われて放熱して冷却されるので、エンジン４３の熱は外部の空気に移動し、エンジン４３は冷却されることになる。
【００６７】
エンジン４３の暖機が必要な状態では、例えば、熱輸送流体１の温度が予め定めた温度以下であるとき、ポンプ４２の駆動により循環回路４１に内蔵された熱輸送流体１が強制的に循環するとともに、三方弁４７によってエンジン４３の出口側通路とバイパス通路４５とが接続される。このとき熱輸送流体１は、循環回路４１を循環してバイパス通路４５を通るときにＰＴＣヒータ４６によって加熱されるので、エンジン４３は戻ってきた熱輸送流体１によって暖められることになる。なお、三方弁４７は、検出温度によって、接続する通路を切り換えるように設定されるサーモスタットによって構成してもよい。
【００６８】
この熱輸送装置４０によれば、本実施形態の熱輸送流体１を用いるため、伝熱的に良好な分散物質の分散状態によって熱伝達の向上が図れる。発熱体によって加熱される熱輸送流体１を介してエンジン４３を効率的に加熱することができ、エンジン４３の所望機能の発揮、燃費向上、寿命向上等を実現する熱輸送装置４０を提供できる。
【００６９】
本実施形態に係る熱輸送流体１がもたらす作用効果を以下に述べる。熱輸送流体１は、水または有機物からなる溶媒２と、溶媒２中に分散される複数の微小粒子３と、を含んで構成され、微小粒子３はシート形状の物質である。
【００７０】
この熱輸送流体１によれば、微小粒子３がシート形状をなすため、多数の微小粒子３は、熱輸送流体１中で流動する際に、溶媒２からの作用力を受け易く、様々な姿勢をとりやすく、さらにその姿勢が常に変化するようになる。このため、多数の微小粒子３は、熱輸送流体１の伝熱性能が向上するために必要な伝熱方向（流体の主流方向に対して直交する方向）に熱伝導しやすい姿勢で流動するので、熱輸送流体１の熱伝達率を向上することができる。また、多数の微小粒子３は、溶媒２からの作用力を受けることによって、回転したり揺らいだりすることにより、周囲の溶媒２を揺さぶったり、かき回したりする。このような多数の微小粒子３による攪拌効果により、熱輸送流体１の流れに乱れが生じるため、熱輸送流体１の熱伝達率を向上することができる。
【００７１】
また、微小粒子３はグラフェンまたは酸化グラフェンであることが好ましい。これによれば、グラフェンまたは酸化グラフェンは、１原子の厚さのｓｐ２結合炭素原子のシート（主に炭素−炭素結合の六員環等を多数有して形成されるシート）であるため、非常に薄いシート形状の微小粒子３を作製することができる。このような微小粒子３によれば、シート形状の粒子が流体中で大きく揺らぐため、あらゆる方向に優れた伝熱性能を発揮できる分散状態を構築することができる。したがって、分散物質を流体中で伝熱的に良好な分散状態にできるため、より確実な熱伝達の向上が図れる。
【００７２】
また、微小粒子３は金属酸化物であることが好ましい。また、溶媒２は、１価アルコール類もしくは多価アルコール類、またはこれらの混合物であることが好ましい。
【００７３】
さらに１価アルコール類は、メタノール、エタノール、１−プロパノール、２−プロパノール、１−ブタノール、２−ブタノールもしくは２−メチル−２−プロパノール、またはこれらの混合物であることが好ましい。
【００７４】
さらに多価アルコール類は、エチレングリコール、プロピレングリコールもしくはグリセリン、またはこれらの混合物であることが好ましい。これによれば、これらの各物質の特性（融点、沸点等）を活用した使用を図ることにより、用途に応じた熱輸送の向上が期待できる熱輸送流体を提供できる。
【００７５】
（第２実施形態）
本発明に係る熱輸送流体の第２実施形態について、図８及び図９を参照して説明する。以下に、第２実施形態では、第１実施形態と異なる構成、作用効果について説明し、説明しない構成、作用効果については第１実施形態と同様であるとする。また、上記の第１の熱輸送装置〜第４の熱輸送装置は、第２実施形態の熱輸送流体を用いて熱輸送を実施する装置であることはいうまでもない。
【００７６】
第２実施形態に係る熱輸送流体１は、微小粒子３がグラファイト微粒子であることを特徴とする。微小粒子３としてグラファイト微粒子を用いた熱輸送流体１の作製について説明する。
【００７７】
まず、グラファイト粒子を硫酸と硝酸の混合液に中に投入して、膨張性のグラファイト破片を生成する。そして、生成された膨張性のグラファイト破片を空気中で９００℃まで加熱処理する。さらに加熱処理した膨張性のグラファイト破片に対して、超音波処理、ボールミル破砕、さらに振動ボールミル破砕等の少なくともいずれかの破砕技術を実施することによって、当該グラファイト破片をさらに細かく破砕する。これらの工程を経て、グラファイト微粒子が得られる。このグラファイト微粒子の作製技術は、既報の文献（Macromolecular Materials and Engineering 2005, 290, 179-187）において公知となっている。このように得られたグラファイト微粒子を、溶媒中に分散剤とともに分散させる。第２実施形態の熱輸送流体は、分散剤としてベンゼンスルホン酸ナトリウムを用いて調製する。以上の方法により、グラファイト微粒子をシート状の微小粒子３として溶媒中に分散する熱輸送流体１を作製することができる。
【００７８】
さらに、グラファイト微粒子には、表層酸化を施すことが好ましい。すなわち、種々の酸化の方法により、グラファイト微粒子の表面に酸化層が形成されるため、グラファイト微粒子の溶媒２に対する分散性が高まり、熱輸送流体１の熱伝導率向上に寄与することになる。
【００７９】
この表層酸化は、上記の方法により作製されたグラファイト微粒子をオゾン酸化、酸化剤作用による酸化処理等によって酸化することで実施することができる。オゾン酸化は、オゾン発生装置によって製造されたオゾン、酸素の混合ガスにグラファイト微粒子を暴露し、酸化反応を起こすものである。このオゾン酸化により表層酸化技術は、既報の文献（Carbon 49(2011),3242-3249）において公知となっている。
【００８０】
発明者らは、第２実施形態に記載する製法で作製した熱輸送流体１の熱伝導率を、微小粒子３の体積濃度が、３．０ｖｏｌ％、１．０ｖｏｌ％、０．２５ｖｏｌ％の各溶液、及び水とエチレングリコールの混合溶媒（混合比は１：１）の場合について、熱線法（非定常熱線法ともいう）によって測定した。その結果を図８に示す。図８には、各溶液について測定した熱伝導率が棒グラフで図示されている。
【００８１】
図８に示す測定結果から、微小粒子３としてグラファイト微粒子が分散する溶液の熱伝導率は、混合溶媒の熱伝導率に比較して大きく、さらにグラファイト微粒子の体積濃度が高くなるにつれて大きくなり、熱輸送流体１の熱伝導性能が向上することが確認できた。
【００８２】
さらに、発明者らは、熱輸送流体１の熱伝達率について、上記の混合溶媒（水とエチレングリコールの混合比は１：１）を用いた場合の熱伝達率に対する熱伝達率向上比を熱線法によって測定した。その結果を図９に示す。図９には、各溶液について測定した熱伝達率が棒グラフで図示されている。測定値は、流速４（ｍｍ／ｓ）の円柱周りの強制対流において熱伝達率を測定した値である。
【００８３】
図９に示す測定結果から、グラファイト微粒子の体積濃度（分散物質濃度）の大きさにほぼ比例して熱伝達率向上比が増加することがわかる。このように、第２実施形態の上記製法による熱輸送流体１によれば、熱伝達率が向上することが確認できた。
【００８４】
さらに、熱輸送流体１に分散するグラファイト微粒子は、外形上、複数層をなすシート状の微粒子であり、グラフェンまたは酸化グラフェンによる微小粒子３と比較して、高い剛直性と高い熱伝導率を有している。すなわち、熱輸送流体１に分散するグラファイト微粒子は、複数層の積層シートをなす微小粒子３であり、複数層のシート状体であることから、単層のシート状体よりも剛直性が高い。グラファイト微粒子は、この高い剛直性ゆえ、熱輸送流体１が流動する際に、溶媒２を揺さぶったり、かき回したりする機能が高く、溶媒２を攪拌する高い効果を発揮する。さらにグラファイト微粒子は、微小粒子自体の高い熱伝導率によって、分散液としての熱伝導率を効果的に向上することができる。したがって、グラファイト微粒子のこのような特徴が、上記測定結果によって確認された熱輸送装置の熱伝達性能の向上をもたらすのである。
【００８５】
また、グラファイト微粒子は、酸化グラフェンや金属酸化物よりも疎水性が高いため、溶媒に対する分散性を確保するには分散剤が必要となるが、グラファイト微粒子の表層酸化処理によれば、分散剤を不要とする分散性を獲得することができる。
【００８６】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００８７】
上記の第４の熱輸送装置において暖機される機器は、エンジンの他、例えば、インバータ装置、燃料電池、二次電池、電動機等にも適用することができる。
【００８８】
また、熱輸送流体１に含まれる溶媒として、２種類の成分からなるものを用いてもよい。このうち１種類の溶媒としては凝固点降下作用を有するある液体を用いてもよい。例えば溶媒として水を用い、凝固点降下剤として酢酸カリウム、酢酸ナトリウム等を用いることができる。こうした構造によれば、熱輸送流体の凝固点を降下させることで、寒冷地等における実用性をさらに高めることができる。さらに必要に応じて、凝固点降下剤に加えて防錆剤や酸化防止剤を、添加剤として熱輸送流体に含有させるようにしてもよい。なお、熱輸送流体の凝固点降下の必要性がなければ、凝固点降下剤を含有しない２種類以上の溶媒を用いるようにしてもよい。
【符号の説明】
【００８９】
１…熱輸送流体
２…溶媒
３…微小粒子
１０，２０，３０，４０…熱輸送装置
１１，２１，３１，４１…循環回路
１２，２２，３２，４２…ポンプ（環駆動装置）
１３，２３…冷却用熱交換器
１４…半導体装置
１５，２４…放熱用熱交換器（放熱装置）
２８…エンジン
３３…発熱体
３４…暖房用熱交換器（熱交換器）
４３…エンジン（暖機対象機器）
４６…ＰＴＣヒータ（発熱体）
１０４…高温内壁面
１０５…低温内壁面
【図１】
2013028792.tif 000003
【図２】
2013028792.tif 000004
【図３】
2013028792.tif 000005
【図４】
2013028792.tif 000006
【図５】
2013028792.tif 000007
【図６】
2013028792.tif 000008
【図７】
2013028792.tif 000009
【図８】
2013028792.tif 000010
【図９】
2013028792.tif 000011